【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
画像データに対してイントラ予測の処理対象となるイントラ予測ブロックについて、イントラ予測の予測モードを決定するモード決定手段と、
前記モード決定手段により決定された前記予測モードに応じたシフト方向および候補となるシフト量に従って、前記イントラ予測ブロックに所定の位置関係で隣接する隣接画素の位相をシフトさせる位相シフト手段と、
前記隣接画素および前記位相シフト手段により前記位相がシフトされた隣接画素を用いて、前記隣接画素に対して、前記位相の最適シフト量を決定するシフト量決定手段と、
前記シフト量決定手段により決定された前記最適シフト量に従って前記位相がシフトされた隣接画素を用いて、前記イントラ予測ブロックの予測画像を生成する予測画像生成手段と
を備える画像処理装置。
【請求項２】
前記イントラ予測ブロックの画像と前記予測画像生成手段により生成された前記予測画像との差分情報を符号化して符号化ストリームを生成する符号化手段と、
前記シフト量決定手段により決定された前記最適シフト量を示すシフト量情報と、前記モード決定手段により決定された前記予測モードを示す予測モード情報とを、前記符号化手段により生成された符号化ストリームとともに伝送する伝送手段と
をさらに備える請求項１に記載の画像処理装置。
【請求項３】
前記符号化手段は、前記シフト量情報として、前記イントラ予測ブロックについて決定された前記最適シフト量とMostProbableModeを与えるブロックについて決定された最適シフト量との差分を示す差分情報を符号化し、
前記伝送手段は、前記符号化手段により生成された符号化ストリームと差分情報とを伝送する
請求項２に記載の画像処理装置。
【請求項４】
前記位相シフト手段は、前記モード決定手段により決定された前記予測モードが、DC predictionモードである場合、前記位相のシフトを禁止する
請求項１に記載の画像処理装置。
【請求項５】
前記位相シフト手段は、前記モード決定手段により決定された前記予測モードが、Vertical predictionモード、Diag_Down_Left predictionモード、またはVertical_Left predictionモードである場合、前記隣接画素のうち、上部隣接画素に対して、Horizontal方向の位相を前記候補となるシフト量でシフトさせ、前記隣接画素のうち、左部隣接画素に対して、Vertical方向の位相のシフトを禁止する
請求項１に記載の画像処理装置。
【請求項６】
前記位相シフト手段は、前記モード決定手段により決定された前記予測モードが、Horizontal predictionモード、またはHorizontal_Up predictionモードである場合、前記隣接画素のうち、左部隣接画素に対して、Vertical方向の位相を前記候補となるシフト量でシフトさせ、前記隣接画素のうち、上部隣接画素に対して、Horizontal方向の位相のシフトを禁止する
請求項１に記載の画像処理装置。
【請求項７】
前記モード決定手段は、前記イントラ予測の全ての予測モードを決定し、
前記位相シフト手段は、前記モード決定手段により決定された前記全ての予測モードに応じたシフト方向および候補となるシフト量に従って、前記隣接画素の位相をシフトさせ、
前記シフト量決定手段は、前記隣接画素および前記位相シフト手段により前記位相がシフトされた隣接画素を用いて、前記隣接画素に対して、前記位相の最適シフト量と最適予測モードを決定する
請求項１に記載の画像処理装置。
【請求項８】
前記画像のインター動き予測ブロックについて、インター動き予測を行う動き予測補償手段をさらに備え、
前記位相シフト手段は、前記動き予測補償手段により小数画素精度予測の際に用いられるフィルタを用いて、前記隣接画素の位相をシフトさせる
請求項１に記載の画像処理装置。
【請求項９】
画像処理装置が、
画像データに対してイントラ予測の処理対象となるイントラ予測ブロックについて、イントラ予測の予測モードを決定し、
決定された前記予測モードに応じたシフト方向および候補となるシフト量に従って、前記イントラ予測ブロックに所定の位置関係で隣接する隣接画素の位相をシフトさせ、
前記隣接画素および前記位相がシフトされた隣接画素を用いて、前記隣接画素に対して、前記位相の最適シフト量を決定し、
決定された前記最適シフト量に従って前記位相がシフトされた隣接画素を用いて、前記イントラ予測ブロックの予測画像を生成するステップ
を含む画像処理方法。
【請求項１０】
イントラ予測の処理対象となるイントラ予測ブロックについてイントラ予測の予測モードを示す予測モード情報と、前記イントラ予測ブロックに所定の位置関係で隣接する隣接画素を前記予測モード情報が示す予測モードに応じて位相をシフトさせるシフト量を示すシフト量情報とを受け取る受け取り手段と、
前記受け取り手段により受け取られた前記予測モードに応じたシフト方向および前記シフト量に従って、前記隣接画素の位相をシフトさせる位相シフト手段と、
前記位相シフト手段により前記位相がシフトされた隣接画素を用いて、前記イントラ予測ブロックの予測画像を生成する予測画像生成手段と
を備える画像処理装置。
【請求項１１】
前記受け取り手段は、前記シフト量情報として、前記イントラ予測ブロックについてのシフト量と、MostProbableModeを与えるブロックについてのシフト量との差分を示す差分情報を受け取る
請求項１０に記載の画像処理装置。
【請求項１２】
前記予測画像生成手段により生成された予測画像を用いて、前記イントラ予測ブロックを復号する復号手段を更に備える
請求項１０に記載の画像処理装置。
【請求項１３】
前記復号手段は、前記受け取り手段により受け取られた予測モード情報と前記シフト量情報とを復号する
請求項１２に記載の画像処理装置。
【請求項１４】
前記位相シフト手段は、前記復号手段により復号された前記予測モードが、DC predictionモードである場合、前記隣接画素の位相のシフトを禁止する
請求項１２に記載の画像処理装置。
【請求項１５】
前記位相シフト手段は、前記復号手段により復号された前記予測モードが、Vertical predictionモード、Diag_Down_Left predictionモード、またはVertical_Left predictionモードである場合、前記隣接画素のうち、上部隣接画素に対して、Horizontal方向の位相を、前記復号手段により復号された前記シフト量でシフトさせ、前記隣接画素のうち、左部隣接画素に対して、Vertical方向の位相のシフトを禁止する
請求項１２に記載の画像処理装置。
【請求項１６】
前記位相シフト手段は、前記復号手段により復号された前記予測モードが、Horizontal predictionモード、またはHorizontal_Up predictionモードである場合、前記隣接画素のうち、左部隣接画素に対して、Vertical方向の位相を、前記復号手段により復号された前記シフト量でシフトさせ、前記隣接画素のうち、上部隣接画素に対して、Horizontal方向の位相のシフトを禁止する
請求項１２に記載の画像処理装置。
【請求項１７】
符号化されているインター動き予測ブロックとともに前記復号手段により復号される動きベクトルを用いて、インター動き予測を行う動き予測補償手段をさらに備え、
前記位相シフト手段は、前記動き予測補償手段により小数画素精度予測の際に用いられるフィルタを用いて、前記隣接画素の位相をシフトさせる
請求項１２に記載の画像処理装置。
【請求項１８】
画像処理装置が、
イントラ予測の処理対象となるイントラ予測ブロックについてイントラ予測の予測モードを示す予測モード情報と、前記イントラ予測ブロックに所定の位置関係で隣接する隣接画素を前記予測モード情報が示す予測モードに応じて位相をシフトさせるシフト量を示すシフト量情報とを受け取り、
受け取られた前記予測モードに応じたシフト方向および復号された前記シフト量に従って、前記隣接画素の位相をシフトさせ、
前記位相がシフトされた隣接画素を用いて、前記イントラ予測ブロックの予測画像を生成するステップ
を含む画像処理方法。
【手続補正２】
【補正対象書類名】明細書
【補正対象項目名】発明の名称
【補正方法】変更
【補正の内容】
【発明の名称】画像処理装置および方法
【手続補正３】
【補正対象書類名】明細書
【補正対象項目名】０００１
【補正方法】変更
【補正の内容】
【０００１】
本発明は画像処理装置および方法に関し、特に、イントラ予測における符号化効率を向上させるようにした画像処理装置および方法に関する。
【手続補正４】
【補正対象書類名】明細書
【補正対象項目名】００２０
【補正方法】変更
【補正の内容】
【００２０】
本発明の第１の側面の画像処理装置は、画像データに対してイントラ予測の処理対象となるイントラ予測ブロックについて、イントラ予測の予測モードを決定するモード決定手段と、前記モード決定手段により決定された前記予測モードに応じたシフト方向および候補となるシフト量に従って、前記イントラ予測ブロックに所定の位置関係で隣接する隣接画素の位相をシフトさせる位相シフト手段と、前記隣接画素および前記位相シフト手段により前記位相がシフトされた隣接画素を用いて、前記隣接画素に対して、前記位相の最適シフト量を決定するシフト量決定手段と、前記シフト量決定手段により決定された前記最適シフト量に従って前記位相がシフトされた隣接画素を用いて、前記イントラ予測ブロックの予測画像を生成する予測画像生成手段とを備える。
【手続補正５】
【補正対象書類名】明細書
【補正対象項目名】００２１
【補正方法】変更
【補正の内容】
【００２１】
前記イントラ予測ブロックの画像と前記予測画像生成手段により生成された前記予測画像との差分情報を符号化して符号化ストリームを生成する符号化手段と、前記シフト量決定手段により決定された前記最適シフト量を示すシフト量情報と、前記モード決定手段により決定された前記予測モードを示す予測モード情報とを、前記符号化手段により生成された符号化ストリームとともに伝送する伝送手段とをさらに備えることができる。
【手続補正６】
【補正対象書類名】明細書
【補正対象項目名】００２２
【補正方法】変更
【補正の内容】
【００２２】
前記符号化手段は、前記シフト量情報として、前記イントラ予測ブロックについて決定された前記最適シフト量とMostProbableModeを与えるブロックについて決定された最適シフト量との差分を示す差分情報を符号化し、前記伝送手段は、前記符号化手段により生成された符号化ストリームと差分情報とを伝送することができる。
【手続補正７】
【補正対象書類名】明細書
【補正対象項目名】００２６
【補正方法】変更
【補正の内容】
【００２６】
前記モード決定手段は、前記イントラ予測の全ての予測モードを決定し、前記位相シフト手段は、前記モード決定手段により決定された前記全ての予測モードに応じたシフト方向および候補となるシフト量に従って、前記隣接画素の位相をシフトさせ、前記シフト量決定手段は、前記隣接画素および前記位相シフト手段により前記位相がシフトされた隣接画素を用いて、前記隣接画素に対して、前記位相の最適シフト量と最適予測モードを決定することができる。
【手続補正８】
【補正対象書類名】明細書
【補正対象項目名】００２７
【補正方法】変更
【補正の内容】
【００２７】
前記画像のインター動き予測ブロックについて、インター動き予測を行う動き予測補償手段をさらに備え、前記位相シフト手段は、前記動き予測補償手段により小数画素精度予測の際に用いられるフィルタを用いて、前記隣接画素の位相をシフトさせることができる。
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
本発明の第１の側面の画像処理方法は、画像処理装置が、画像データに対してイントラ予測の処理対象となるイントラ予測ブロックについて、イントラ予測の予測モードを決定し、決定された前記予測モードに応じたシフト方向および候補となるシフト量に従って、前記イントラ予測ブロックに所定の位置関係で隣接する隣接画素の位相をシフトさせ、前記隣接画素および前記位相がシフトされた隣接画素を用いて、前記隣接画素に対して、前記位相の最適シフト量を決定し、決定された前記最適シフト量に従って前記位相がシフトされた隣接画素を用いて、前記イントラ予測ブロックの予測画像を生成するステップを含む。
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】変更
【補正の内容】
【００３１】
本発明の第２の側面の画像処理装置は、イントラ予測の処理対象となるイントラ予測ブロックについてイントラ予測の予測モードを示す予測モード情報と、前記イントラ予測ブロックに所定の位置関係で隣接する隣接画素を前記予測モード情報が示す予測モードに応じて位相をシフトさせるシフト量を示すシフト量情報とを受け取る受け取り手段と、前記受け取り手段により受け取られた前記予測モードに応じたシフト方向および前記シフト量に従って、前記隣接画素の位相をシフトさせる位相シフト手段と、前記位相シフト手段により前記位相がシフトされた隣接画素を用いて、前記イントラ予測ブロックの予測画像を生成する予測画像生成手段とを備える。
【手続補正１３】
【補正対象書類名】明細書
【補正対象項目名】００３２
【補正方法】変更
【補正の内容】
【００３２】
前記受け取り手段は、前記シフト量情報として、前記イントラ予測ブロックについてのシフト量と、MostProbableModeを与えるブロックについてのシフト量との差分を示す差分情報を受け取ることができる。
前記予測画像生成手段により生成された予測画像を用いて、前記イントラ予測ブロックを復号する復号手段を更に備えることができる。
前記復号手段は、前記受け取り手段により受け取られた予測モード情報と前記シフト量情報とを復号することができる。
【手続補正１４】
【補正対象書類名】明細書
【補正対象項目名】００３６
【補正方法】変更
【補正の内容】
【００３６】
符号化されているインター動き予測ブロックとともに前記復号手段により復号される動きベクトルを用いて、インター動き予測を行う動き予測補償手段をさらに備え、前記位相シフト手段は、前記動き予測補償手段により小数画素精度予測の際に用いられるフィルタを用いて、前記隣接画素の位相をシフトさせることができる。
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】変更
【補正の内容】
【００３８】
本発明の第２の側面の画像処理方法は、画像処理装置が、イントラ予測の処理対象となるイントラ予測ブロックについてイントラ予測の予測モードを示す予測モード情報と、前記イントラ予測ブロックに所定の位置関係で隣接する隣接画素を前記予測モード情報が示す予測モードに応じて位相をシフトさせるシフト量を示すシフト量情報とを受け取り、受け取られた前記予測モードに応じたシフト方向および復号された前記シフト量に従って、前記隣接画素の位相をシフトさせ、前記位相がシフトされた隣接画素を用いて、前記イントラ予測ブロックの予測画像を生成するステップを含む。
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】変更
【補正の内容】
【００４０】
本発明の第１の側面においては、画像データに対してイントラ予測の処理対象となるイントラ予測ブロックについて、イントラ予測の予測モードが決定され、決定された前記予測モードに応じたシフト方向および候補となるシフト量に従って、前記イントラ予測ブロックに所定の位置関係で隣接する隣接画素の位相がシフトされる。そして、前記隣接画素および前記位相がシフトされた隣接画素を用いて、前記隣接画素に対して、前記位相の最適シフト量が決定され、決定された前記最適シフト量に従って前記位相がシフトされた隣接画素を用いて、前記イントラ予測ブロックの予測画像が生成される。
【手続補正１９】
【補正対象書類名】明細書
【補正対象項目名】００４１
【補正方法】変更
【補正の内容】
【００４１】
本発明の第２の側面においては、イントラ予測の処理対象となるイントラ予測ブロックについてイントラ予測の予測モードを示す予測モード情報と、前記イントラ予測ブロックに所定の位置関係で隣接する隣接画素を前記予測モード情報が示す予測モードに応じて位相をシフトさせるシフト量を示すシフト量情報とが受け取られ、受け取られた前記予測モードに応じたシフト方向および復号された前記シフト量に従って、前記隣接画素の位相がシフトされる。そして、前記位相がシフトされた隣接画素を用いて、前記イントラ予測ブロックの予測画像が生成される。